(57)【要約】【課題】印刷コストを抑え、彩度の高いトナーを効果的に利用することができる画像形成装置及び印刷制御方法の提供。【解決手段】第１のトナー群と前記第１のトナー群よりも彩度が高い第２のトナー群とが搭載された印刷部を備える画像形成装置において、制御部は、印刷ジョブで指定された画像データに基づく画像の各部の色情報を所定の色空間上の値に変換し、前記所定の色空間上の値と予め登録された各々のトナー群の色再現域とを比較することによって、前記画像に適したトナー群を判断すると共に、予め記憶された対応付け情報を参照して、前記印刷ジョブで指定された用紙及び／又は印刷条件に適したトナー群を判断し、双方の判断結果に基づいて、前記画像の印刷に使用するトナー群を決定する。【選択図】図２０
2010214854.tif 000002
【特許請求の範囲】
【請求項１】
第１のトナー群と前記第１のトナー群よりも彩度が高い第２のトナー群とが搭載された印刷部を備える画像形成装置において、
制御部は、印刷ジョブで指定された画像データに基づく画像の各部の色情報を所定の色空間上の値に変換し、前記所定の色空間上の値と予め登録された各々のトナー群の色再現域とを比較することによって、前記画像に適したトナー群を判断すると共に、予め記憶された対応付け情報を参照して、前記印刷ジョブで指定された用紙及び／又は印刷条件に適したトナー群を判断し、双方の判断結果に基づいて、前記画像の印刷に使用するトナー群を決定する、ことを特徴とする画像形成装置。
【請求項２】
前記制御部は、前記画像に前記第２のトナー群でのみ再生可能な色が含まれていない場合は、前記用紙及び／又は前記印刷条件に関わらず、前記第１のトナー群のみを使用して前記印刷部に前記画像を印刷させる、ことを特徴とする請求項１に記載の画像形成装置。
【請求項３】
前記制御部は、前記画像に前記第２のトナー群でのみ再生可能な色が含まれている場合であっても、前記用紙及び／又は前記印刷条件が前記第２のトナー群に適していない場合は、前記第１のトナー群のみを使用して前記印刷部に前記画像を印刷させる、ことを特徴とする請求項１に記載の画像形成装置。
【請求項４】
前記制御部は、前記画像に前記第２のトナー群でのみ再生可能な色が含まれている場合であっても、前記用紙及び／又は前記印刷条件が前記第２のトナー群に適していない場合は、前記第２のトナー群に適していない用紙及び／又は印刷条件が指定されていることを通知する画面を表示部に表示させる、ことを特徴とする請求項１に記載の画像形成装置。
【請求項５】
前記制御部は、前記画面において印刷が指示された場合は、前記用紙及び／又は前記印刷条件に関わらず、少なくとも前記第２のトナー群を使用して前記印刷部に前記画像を印刷させる、ことを特徴とする請求項５に記載の画像形成装置。
【請求項６】
前記第２のトナー群に適していない用紙とは、光沢度が所定値以下の用紙、白色度が所定値以下の用紙、厚みが所定値以下の用紙のいずれかを含む、ことを特徴とする請求項３乃至５のいずれか一に記載の画像形成装置。
【請求項７】
前記第２のトナー群に適していない印刷条件とは、両面印刷、複数枚の片面印刷、ウォーターマーク印刷のいずれかを含む、ことを特徴とする請求項３乃至５のいずれか一に記載の画像形成装置。
【請求項８】
第１のトナー群と前記第１のトナー群よりも彩度が高い第２のトナー群とが搭載された印刷部を備える画像形成装置を含むシステムにおける印刷制御方法であって、
印刷ジョブで指定された画像データに基づく画像の各部の色情報を所定の色空間上の値に変換し、前記所定の色空間上の値と予め登録された各々のトナー群の色再現域とを比較することによって、前記画像に適したトナー群を判断する第１ステップと、
予め記憶された対応付け情報を参照して、前記印刷ジョブで指定された用紙及び／又は印刷条件に適したトナー群を判断する第２ステップと、を少なくとも有し、
前記第１ステップ及び前記第２ステップの判断結果に基づいて、前記画像の印刷に使用するトナー群を決定する、ことを特徴とする印刷制御方法。
【請求項９】
前記第１ステップで、前記画像に前記第２のトナー群でのみ再生可能な色が含まれていないと判断した場合は、前記用紙及び／又は前記印刷条件に関わらず、前記第１のトナー群のみを使用して前記画像を印刷する、ことを特徴とする請求項８に記載の印刷制御方法。
【請求項１０】
前記第１ステップで、前記画像に前記第２のトナー群でのみ再生可能な色が含まれていると判断した場合であっても、前記第２ステップで、前記用紙及び／又は前記印刷条件が前記第２のトナー群に適していないと判断した場合は、前記第１のトナー群のみを使用して前記画像を印刷する、ことを特徴とする請求項８に記載の印刷制御方法。
【請求項１１】
前記第１ステップで、前記画像に前記第２のトナー群でのみ再生可能な色が含まれていると判断した場合であっても、前記第２ステップで、前記用紙及び／又は前記印刷条件が前記第２のトナー群に適していないと判断した場合は、前記第２のトナー群に適していない用紙及び／又は印刷条件が指定されていることを通知する画面を表示する、ことを特徴とする請求項８に記載の印刷制御方法。
【請求項１２】
前記画面において印刷が指示された場合は、前記用紙及び／又は前記印刷条件に関わらず、少なくとも前記第２のトナー群を使用して前記画像を印刷する、ことを特徴とする請求項１１に記載の印刷制御方法。
【請求項１３】
前記第２のトナー群に適していない用紙とは、光沢度が所定値以下の用紙、白色度が所定値以下の用紙、厚みが所定値以下の用紙のいずれかを含む、ことを特徴とする請求項１０乃至１２のいずれか一に記載の印刷制御方法。
【請求項１４】
前記第２のトナー群に適していない印刷条件とは、両面印刷、複数枚の片面印刷、ウォーターマーク印刷のいずれかを含む、ことを特徴とする請求項１０乃至１２のいずれか一に記載の印刷制御方法。
【発明の詳細な説明】
【技術分野】
【０００１】
本発明は、画像形成装置及び印刷制御方法に関し、特に、色再現域の異なる複数種類のトナー群を備える画像形成装置及び該画像形成装置を用いた印刷制御方法に関する。
【背景技術】
【０００２】
プリンタやデジタル複合機などの印刷装置（以下、画像形成装置と呼ぶ。）が普及している。この画像形成装置では、コンピュータ端末から送信される印刷ジョブに基づいて画像を形成し、帯電された感光体に画像に応じた光を照射して静電潜像を形成し、帯電したトナーを付着させて現像し、そのトナー像を転写ローラや転写ベルトなどの中間転写体を介して用紙に転写する処理を行う。
【０００３】
ここで、画像形成装置に使用されるトナーなどの部材には各々、色の特性があり、再現しやすい色もあれば再現しにくい色もある。そこで、画像形成に際して、これらの部材の色の特性を考慮して、元の画像の色をできるだけ忠実に再現できるように所定の画像処理を行っている。例えば、下記特許文献１には、対象となる画像の特性を自動認識し、その画像特性に応じて最適な色再現処理（カラーマッチング）方式に切り替える装置が開示されている。
【先行技術文献】
【特許文献】
【０００４】
【特許文献１】特開２００２−１８２６３４号公報
【発明の概要】
【発明が解決しようとする課題】
【０００５】
このように、画像特性に応じて再現方式を切り替えることにより、元の画像に近い色を再現することは可能であるが、ＣＭＹ又はＣＭＹＫの各トナーで構成されるトナー群には、再現可能な色の範囲（色再現域と呼ぶ。）があるため、元の画像の中に色再現域外の色が含まれる場合は、所望の色の画像を再現することができない。
【０００６】
このような背景から、近年、従来使用されてきたトナー群（以下、通常トナーと呼ぶ。）よりも彩度の高い鮮やかな色が再現できるトナー群（以下、Ｖｉｖｉｄトナーと呼ぶ。）が開発されており、このＶｉｖｉｄトナーを搭載した画像形成装置を利用することにより、通常トナーの色再現域外の色をより忠実に再現することが可能である。
【０００７】
しかしながら、Ｖｉｖｉｄトナーは通常トナーよりも高価なため、元の画像が双方のトナーで再現可能な色（双方のトナーの色再現域内の色）のみで構成されている場合に、Ｖｉｖｉｄトナーを使用して印刷を行うと、印刷コストが上昇してしまう。また、元の画像がＶｉｖｉｄトナーで再現可能な色を含む場合であっても、例えば、用紙の特性（用紙の光沢度や白色度、厚みなど）、印刷条件（片面／両面の種別、１枚構成／複数枚構成など）によっては、Ｖｉｖｉｄトナーの特性を生かすことができず、このような場合にＶｉｖｉｄトナーを使用して印刷を行うと、印刷コストが上昇してしまう。
【０００８】
従って、印刷コストを抑え、かつ、Ｖｉｖｉｄトナーの特性を生かすためには、元の画像の色及び用紙の特性や印刷条件に応じてトナー群を選択することが望ましいが、従来は、色再現域の異なる複数種類のトナー群を備えた画像形成装置はなく、元の画像の色と各トナー群の色再現域とに基づいて適切なトナー群を選択する手法は無く、更に、用紙の特性や印刷条件に基づいて適切なトナー群を選択する手法は無かったため、上記問題を解決することができなかった。
【０００９】
本発明は、上記問題点に鑑みてなされたものであって、その主たる目的は、印刷コストを抑え、彩度の高いトナーを効果的に利用することができる画像形成装置及び印刷制御方法を提供することにある。
【課題を解決するための手段】
【００１０】
上記目的を達成するため、本発明は、第１のトナー群と前記第１のトナー群よりも彩度が高い第２のトナー群とが搭載された印刷部を備える画像形成装置において、制御部は、印刷ジョブで指定された画像データに基づく画像の各部の色情報を所定の色空間上の値に変換し、前記所定の色空間上の値と予め登録された各々のトナー群の色再現域とを比較することによって、前記画像に適したトナー群を判断すると共に、予め記憶された対応付け情報を参照して、前記印刷ジョブで指定された用紙及び／又は印刷条件に適したトナー群を判断し、双方の判断結果に基づいて、前記画像の印刷に使用するトナー群を決定するものである。
【００１１】
また、本発明は、第１のトナー群と前記第１のトナー群よりも彩度が高い第２のトナー群とが搭載された印刷部を備える画像形成装置を含むシステムにおける印刷制御方法であって、印刷ジョブで指定された画像データに基づく画像の各部の色情報を所定の色空間上の値に変換し、前記所定の色空間上の値と予め登録された各々のトナー群の色再現域とを比較することによって、前記画像に適したトナー群を判断する第１ステップと、予め記憶された対応付け情報を参照して、前記印刷ジョブで指定された用紙及び／又は印刷条件に適したトナー群を判断する第２ステップと、を少なくとも有し、前記第１ステップ及び前記第２ステップの判断結果に基づいて、前記画像の印刷に使用するトナー群を決定するものである。
【発明の効果】
【００１２】
本発明の画像形成装置及び印刷制御方法によれば、印刷コストを抑え、彩度の高いトナーを効果的に利用することができる。
【００１３】
その理由は、色再現域の異なる第１のトナー群と第２のトナー群などの複数種類のトナー群を画像形成装置に搭載し、印刷対象となる画像の色を数値化して各々のトナー群の色再現域と比較することによって彩度の高いトナー群の色が含まれているかを判断し、更に、設定された用紙や印刷条件で彩度の高いトナー群の特性を生かすことができるかを判断し、それらの判断結果に基づいて、使用するトナー群を決定する制御を行うからである。
【図面の簡単な説明】
【００１４】
【図１】本発明の一実施例に係る印刷システムの構成例を示す図である。
【図２】本発明の一実施例に係るコンピュータ端末の構成を示すブロック図である。
【図３】本発明の一実施例に係る画像形成装置の構成を示す模式図である。
【図４】本発明の一実施例に係る画像形成装置の構成を示すブロック図である。
【図５】本発明の一実施例に係る画像形成装置の印刷部の具体的構成を示す図である。
【図６】本発明の一実施例に係る画像形成装置の印刷部のトナー群毎にユニット化した構成を示す図である。
【図７】本発明の一実施例に係る画像形成装置の印刷部のＶｉｖｉｄトナー作像ユニットを待避させた状態を示す図である。
【図８】本発明の一実施例に係る画像形成装置の印刷部の通常トナー作像ユニットを待避させた状態を示す図である。
【図９】本発明の一実施例に係る画像形成装置の印刷部の色毎にユニット化した構成を示す図である。
【図１０】Ｖｉｖｉｄトナーと通常トナーの色再現域を示す図である。
【図１１】本発明の一実施例に係るコンピュータ端末の表示部に表示される画面（プリンタドライバ画面）の一例を示す図である。
【図１２】本発明の一実施例に係るコンピュータ端末の表示部に表示される画面（プロパティ画面）の一例を示す図である。
【図１３】本発明の一実施例に係る画像形成装置の表示部に表示される画面（用紙警告画面）の一例を示す図である。
【図１４】本発明の一実施例に係る画像形成装置の表示部に表示される画面（印刷条件警告画面）の一例を示す図である。
【図１５】本発明の一実施例に係るコンピュータ端末におけるユーザ操作の手順を示すフローチャート図である。
【図１６】本発明の一実施例に係るコンピュータ端末におけるプリンタドライバの動作を示すフローチャート図である。
【図１７】本発明の一実施例に係る画像形成装置の全体動作を示すフローチャート図である。
【図１８】本発明の一実施例に係る画像形成装置におけるＬａｂデータへの変換手順を示すフローチャート図である。
【図１９】本発明の一実施例に係る画像形成装置におけるＣＭＹＫ印刷データへの変換手順を示すフローチャート図である。
【図２０】本発明の一実施例に係る画像形成装置における印刷制御手順を示すフローチャート図である。
【図２１】本発明の一実施例に係る画像形成装置における印刷制御手順を示すフローチャート図である。
【図２２】本発明の一実施例に係る画像形成装置における印刷制御手順を示すフローチャート図である。
【図２３】本発明の一実施例に係る用紙及び印刷条件とトナーとの対応関係を規定するテーブルの構成例である。
【発明を実施するための形態】
【００１５】
背景技術で示したように、Ｖｉｖｉｄトナーを搭載した画像形成装置では、通常トナーを搭載した画像形成装置よりも彩度の高い鮮やかな色が再現可能であるが、Ｖｉｖｉｄトナーは通常トナーよりも高価なため、双方のトナーで再現可能な色は、通常トナーを用いて印刷することが望ましい。また、Ｖｉｖｉｄトナーで再現可能な色を含む場合であっても、用紙の特性や印刷条件によってはＶｉｖｉｄトナーの特性を生かすことができず、そのような場合も通常トナーを用いて印刷することが望ましい。
【００１６】
そこで、本発明の一実施の形態では、画像形成装置に、第１のトナー群（例えば、通常トナー）と、第１のトナー群よりも彩度の高い（色再現域の広い）第２のトナー群（例えば、Ｖｉｖｉｄトナー）などの複数種類のトナー群を搭載する。
【００１７】
また、上記構成の画像形成装置において、印刷対象となる画像を所定の単位（例えば、Ｂｉｔ単位）で所定の色空間における値（例えば、Ｌａｂ値）に変換し、その値が、各トナー群の色再現域のどの領域に属するかを判定し、印刷対象となる画像に彩度の高いトナー群の色が含まれているかを判断する。
【００１８】
更に、設定された用紙の特性（光沢度や白色度、厚みなど）や印刷条件（片面／両面の種別、１枚構成／複数枚構成など）に基づいて、彩度の高いトナー群の特性を生かすことができるかを判断し、これらの判断結果に基づいて使用するトナー群を決定して印刷を実行するように制御する。
【００１９】
これにより、コストを必要最低限に抑え、彩度の高いトナーを効果的に利用することが可能になる。
【実施例】
【００２０】
上記した本発明の実施の形態についてさらに詳細に説明すべく、本発明の一実施例に係る画像形成装置及び印刷制御方法について、図１乃至図２３を参照して説明する。図１は、本実施例の印刷システムの構成を示す図であり、図２は、コンピュータ端末の構成を示す図である。また、図３及び図４は、画像形成装置の構成を示す図であり、図５乃至図９は画像形成装置の印刷部の構成例を示す図である。また、図１０は、通常トナーとＶｉｖｉｄトナーの色再現域を示す図であり、図１１及び図１２は、コンピュータ端末の表示部に表示される画面の一例を示す図、図１３及び図１４は、画像形成装置の表示部に表示される画面の一例を示す図である。また、図１５及び図１６は、コンピュータ端末における動作を示すフローチャート図であり、図１７乃至図２２は、画像形成装置における動作を示すフローチャート図である。また、図２３は、用紙及び印刷条件とトナーとの対応関係を規定するテーブルの構成例である。
【００２１】
図１に示すように、本実施例の印刷システムは、印刷ジョブを送受信する１又は複数のコンピュータ端末１０と、印刷ジョブを受信して印刷を実行する１又は複数の画像形成装置２０とで構成され、これらは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク３０によって接続されている。
【００２２】
また、図２に示すように、コンピュータ端末１０は、制御部１１と、表示部１２と、操作部１３などで構成される。
【００２３】
制御部１１は、ＣＰＵ（Central Processing Unit）１１ａ、ＲＯＭ（Read Only Memory）、ＲＡＭ（Random Access Memory）などのメモリ１１ｂ、ＨＤＤ（Hard Disk Drive）１１ｃ、通信Ｉ／Ｆ部１１ｄなどを備え、これらはバスを介して接続されている。ＣＰＵ１１ａは、各部の制御を行う。メモリ１１ｂは、ＨＤＤ１１ｃ、通信Ｉ／Ｆ部１１ｄから読み込んだ種々のデータを一時的に記憶する部分であり、記憶されたデータはＣＰＵ１１ａによって処理され、必要に応じてＨＤＤ１１ｃや通信Ｉ／Ｆ部１１ｄに転送される。ＨＤＤ１１ｃは、ＣＰＵ１１ａが各部を制御するためのプログラム、自装置の処理機能に関する情報、印刷ジョブなどを格納し、ＣＰＵ１１ａにより必要に応じて読み出され、メモリ１１ｂ上で実行処理される。通信Ｉ／Ｆ部１１ｄは、通信ネットワーク３０を介して繋がっている機器との接続を確立し、データの送受信を実行する。
【００２４】
上記制御部１１は、文書を作成するためのアプリケーションや文書の印刷を指示するプリンタドライバとして機能し、アプリケーションで作成した文書データは、プリンタドライバにより、画像形成装置２０で読み取り可能な言語（ＰＣＬ（Printer Control Language）やＰＳ（Post Script）などのＰＤＬ（Page Description Language））の印刷ジョブに変換され、通信Ｉ／Ｆ部１１ｄを介して画像形成装置２０に送信される。
【００２５】
表示部１２は、液晶表示装置（ＬＣＤ：Liquid Crystal Display）や有機ＥＬ（electroluminescence）表示装置等からなり、画像形成装置２０へ送信する印刷ジョブを設定するためのプリンタドライバ画面やプロパティ画面等を表示する。
【００２６】
操作部１３は、表示部１２上に表示された情報を操作したり、情報を入力したりする部分であり、ポインティングデバイス、キーボード、トラックボール、トラックパッド、タブレット、及びスタイラスペンなどで構成される。
【００２７】
また、図３及び図４に示すように、画像形成装置２０は、制御部２１と、ＡＤＦ（Auto Document Feeder：自動原稿送り装置）２２と、画像読取部２３と、表示部２４と、操作部２５と、給紙部２６と、印刷部２７と、後処理部２８などで構成される。
【００２８】
制御部２１は、各構成部を制御する部分で、ＣＰＵ２１ａ、ＲＯＭやＲＡＭなどのメモリ２１ｂ、ＨＤＤ２１ｃ、通信Ｉ／Ｆ部２１ｄなどを備え、これらはバスを介して接続されている。ＣＰＵ２１ａは各部の制御などを行う。メモリ２１ｂは、ＨＤＤ２１ｃ、画像読取部２３、通信Ｉ／Ｆ部２１ｄから読み込んだ種々のデータを一時的に記憶する部分で、記憶されたデータはＣＰＵ２１ａによって画像処理され、必要に応じてＨＤＤ２１ｃや印刷部２７に転送される。ＨＤＤ２１ｃは、ＣＰＵ２１ａが各部を制御するためのプログラム、自装置の処理機能に関する情報、所定の色空間における各トナー群の色再現域を規定するデータ、後述するＩＣＣ（International Color Consortium）プロファイル、給紙部２６の各用紙トレイに格納されている用紙に関する情報、用紙や印刷条件とトナーとの対応関係を規定したテーブルなどを格納し、ＣＰＵ２１ａにより必要に応じて読み出され、メモリ２１ｂ上で実行処理される。通信Ｉ／Ｆ部２１ｄは、通信ネットワーク３０を介して繋がっている機器との接続を確立し、データの送受信を実行する。
【００２９】
上記制御部２１は、印刷ジョブの各ページのデータをラスタライズし、必要に応じて画像処理やスクリーニングを行って、印刷部２７で印刷可能なビットマップデータを作成する画像処理部としても機能する。
【００３０】
また、制御部２１は、印刷部２７の各部の動作を制御すると共に、各ページのビットマップデータを所定の単位（例えば、Ｂｉｔ単位）で所定の色空間上の値に変換し、その値が第１のトナー群（例えば、通常トナー）及び第２のトナー群（通常トナーよりも彩度の高いトナー、例えば、Ｖｉｖｉｄトナー）の色再現域のどの領域に属するかを判別することによって、印刷対象の画像に第２のトナー群の色が含まれているかを判断（すなわち、画像に適したトナー群を判断）し、更に、印刷ジョブで規定された用紙の特性（光沢度や白色度、厚み）や印刷条件（片面／両面の種別、１枚構成／複数枚構成）で第２のトナー群の特性が生かせるかを判断（すなわち、用紙や印刷条件に適したトナー群を判断）し、これらの判断結果に基づいて、印刷に使用するトナー群を決定して印刷部２７に印刷を実行させる印刷制御部としても機能する。この印刷制御部はハードウェアとして構成してもよいし、コンピュータを印刷制御部として機能させる印刷制御プログラムとして構成し、該プログラムを制御部２１上で実行する構成としてもよい。
【００３１】
ＡＤＦ２２は、単数もしくは複数枚の原稿用紙を自動で画像読取部２３へ搬送する部分である。
【００３２】
画像読取部２３は、原稿台上の原稿用紙から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。
【００３３】
表示部２４は、液晶表示装置や有機ＥＬ表示装置等からなり、画像形成装置２０を操作するための各種画面を表示する。また、操作部２５は、ボタンやスイッチ等からなり、各種設定や指示を行う。なお、表示部２４と操作部２５は別々の装置としても良いし、表示部２４上に、透明電極が格子状に配置された感圧式の操作部（タッチパネル）２５を設けた一体の装置としてもよく、タッチパネルの場合は、手指やタッチペン等で押下された力点のＸＹ座標を電圧値で検出し、検出された位置信号を操作信号として制御部２１に出力する。
【００３４】
給紙部２６は、各種サイズの用紙を格納する用紙トレイで構成される。また、格納された用紙を印刷部２７へ送り出す部分を含む。なお、各用紙トレイに格納された用紙の特性（光沢度や白色度、厚みなど）はＨＤＤ２１ｃ等に予め記憶されている構成としてもよいし、各用紙トレイに用紙の特性を検出する手段（用紙の反射光の強度やスペクトルを測定したり、用紙トレイに格納された用紙の積載量を測定したりするセンサ）を設け、当該手段で検出した結果を制御部２１に送信し、制御部２１でその情報を解析して用紙の特性（光沢度や白色度、厚みなど）を演算する構成としてもよい。
【００３５】
印刷部２７は、電子写真方式や静電記録方式等の作像プロセスを利用した画像形成に必要な構成要素で構成され、画像読取部２３から読み込んだ画像データ、あるいは通信Ｉ／Ｆ部２１ｄを介して受け取った印刷ジョブに基づいて、印刷条件で指定された用紙に画像を形成し、後処理部２８に送り出す。この印刷部２７の詳細は後述する。
【００３６】
後処理部２８は、印刷部２７から搬送される用紙を、制御部２１からの指示により、パンチ・ステープル・製本などのユーザの希望するフィニッシング処理を加えて出力する。
【００３７】
なお、図１乃至図４は本実施例の一例であり、適宜変更可能である。例えば、画像形成装置２０をプリンタとして使用する場合は、ＡＤＦ２２や画像読取部２３を省略してもよいし、後処理を行う必要が無い場合は、後処理部２８を省略してもよい。
【００３８】
また、図１では、印刷システムをコンピュータ端末１０と画像形成装置２０とで構成したが、通信ネットワーク３０に、印刷ジョブをビットマップデータに変換するＲＩＰ（Raster Image Processor）コントローラ等の制御装置が接続される構成としても良く、その場合は、制御装置を印刷制御部（印刷制御プログラム）として機能させればよい。
【００３９】
次に、印刷部２７の具体的な構成について説明する。
【００４０】
上記印刷部２７は、図５に示すように、書込ユニットと感光体ユニットと転写ユニットと搬送ユニットなどで構成される。書込ユニットは、レーザダイオードなどで構成され、画像処理部から入力されたビットマップデータに基づいてレーザ光を照射して露光する。感光体ユニットは、感光体ドラム、現像器、帯電器、感光体クリーニング部などで構成され、感光体ドラム上に現像器から供給されたトナーの潜像を形成する。本実施例では、第１のトナー群（通常トナー）のイエロー（Ｙ）、マゼンタ（Ｍ）、シアン（Ｃ）と、第１のトナー群よりも彩度の高い（色再現域の広い）第２のトナー群（Ｖｉｖｉｄトナー）のイエロー（Ｙ）、マゼンタ（Ｍ）、シアン（Ｃ）と、黒（Ｋ）の計７色のトナーに対応する７つの感光体ユニット及び書込ユニットを備え、印刷制御部（印刷制御プログラム）により、独立して駆動／休止が制御される。転写ユニットは、１次転写ドラム、中間転写ベルト、ベルトクリーニング部、２次転写ローラ、ローラクリーニング部などで構成され、感光体ユニットで形成されたトナー像を中間転写体として機能する中間転写ベルトに転写した後、中間転写ベルト上に形成されたトナー像を用紙に転写する。定着ユニットは、定着器、定着器クリーニング部などで構成され、用紙に転写されたトナー像を定着させる。搬送ユニットは、給紙ローラ、レジストローラ、ループローラ、反転ローラ、排紙ローラなどで構成され、給紙部２７から所望の用紙を２次転写ローラに搬送し、定着後の用紙を後処理部２８に排出する。
【００４１】
図５は印刷部２７の基本的な構成であるが、通常トナーのＣＭＹの３色、ＶｉｖｉｄトナーのＣＭＹの３色及びＫの計７色の感光体ユニットが常に中間転写ベルトに接触している構成では以下の問題がある。例えば、通常トナーのＣＭＹの３色及びＫの計４色のみを用いて画像形成する場合に、使用しないＶｉｖｉｄトナーの感光体ユニットが駆動するとＶｉｖｉｄトナーの寿命が短くなったり、感光体ドラムに残存しているＶｉｖｉｄトナーが中間転写ベルトに付着したりする等の問題が生じる。逆に、ＶｉｖｉｄトナーのＣＭＹの３色及びＫの計４色のみを用いて画像形成する場合に、使用しない通常トナーの感光体ユニットが駆動すると通常トナーの寿命が短くなったり、感光体ドラムに残存している通常トナーが中間転写ベルトに付着したりする等の問題が生じる。
【００４２】
このような問題に対して、例えば、印刷部２７の主要部を記載した図６に示すように、通常トナーのＣＭＹの作像部（書込ユニット及び感光体ユニット）を通常トナー作像ユニット、Ｖｉｖｉｄトナーの作像部（書込ユニット及び感光体ユニット）をＶｉｖｉｄトナー作像ユニットとし、各々の作像ユニットに、当該作像ユニットを機械的に移動させる手段（具体的な構造は問わない。）を接続し、印刷制御部（印刷制御プログラム）の制御により、独立して中間転写ベルトに接触又は中間転写ベルトから退避できるようにすることができる。また、各々の作像ユニットを電気的に制御可能にし、印刷制御部（印刷制御プログラム）の制御により、独立して駆動／休止できるようにすることができる。
【００４３】
例えば、通常トナーだけで印刷できる色域しか持たない印刷データの場合には、図７のように、Ｖｉｖｉｄトナー作像ユニットを退避又は休止させ、使用しないＶｉｖｉｄトナーの消耗を抑え、かつ、Ｖｉｖｉｄトナーの付着を防止することができる。逆に、Ｖｉｖｉｄトナーだけで印刷できる色域しか持たない印刷データの場合には、図８のように、通常トナー作像ユニットを退避又は休止させ、使用しない通常トナーの消耗を抑え、かつ、通常トナーの付着を防止することができる。
【００４４】
この場合、Ｋ作像部のＫトナーは通常トナー及びＶｉｖｉｄトナー共通で使用するため、常に接触している構成とする。また、通常トナーとＶｉｖｉｄトナーの作像部をユニット化する場合、一方の作像ユニットを長期にわたり休止したままにしておくとトナーが固まる等の問題が生じるため、使用しない作像ユニットを定期的に駆動させたり、電源投入時には双方の作像ユニットを一定時間駆動させる等の制御を行うことが好ましい。
【００４５】
また、多色プリンタの場合、中間転写ベルトに一度全色のトナーを用いて画像を形成し、その画像を印刷用紙に転写する方法が一般的である。そこで、例えば、印刷部２７の主要部を記載した図９に示すように、ＣＭＹの各色の感光体ドラムを１本とし、感光体ドラム１本に対してＶｉｖｉｄトナーと通常トナーの現像部及び書込ユニットを配置し、印刷制御部（印刷制御プログラム）の制御により、各々の現像部及び書込ユニットが独立して駆動／休止できるようにすることも可能である。この構成では、感光体ドラムの本数を減らすことができるため、コストダウンが可能になる。また、印刷部２７のサイズを小さくすることができるため、画像形成装置２０の小型化を実現することができる。
【００４６】
なお、図５乃至図９では、通常トナーのＣＭＹの３色、ＶｉｖｉｄトナーのＣＭＹの３色及びＫの計７色のトナーを使用する場合を示したが、通常トナーのＣＭＹＫと、ＶｉｖｉｄトナーのＣＭＹＫの計８色のトナーを使用してもよい。
【００４７】
次に、本実施例で用いる通常トナー及びＶｉｖｉｄトナーの特性について説明する。図１０は、一般的にガモット（Gamut：プリンタ、モニタなどの周辺機器が再現できる色の範囲）と呼ばれる表現方法に、通常トナーとＶｉｖｉｄトナーの色再現域を表したものであり、Ｌａｂ値（Ｌ軸＝明るさ、ａ軸＝緑〜赤、ｂ軸＝青〜黄）で表される色空間立体イメージを上から見たものである。
【００４８】
図１０より、Blue、Magenta、Red、Greenに関しては、通常トナーの色再現域（図の破線の領域）よりもＶｉｖｉｄトナーの色再現域（図の実線の領域）の方が広いことが分かる。また、Cyanに関しては、Ｖｉｖｉｄトナーの色再現域よりも通常トナーの色再現域の方が広いことが分かる。また、粗いドットのハッチング領域は、通常トナー及びＶｉｖｉｄトナーの双方で再現可能な色の領域を示しており、細かいドットのハッチング領域は、Ｖｉｖｉｄトナーのみが再現可能な色の領域を示しており、斜線のハッチング領域は、通常トナーのみが再現可能な色の領域を示している。
【００４９】
なお、本実施例における複数種類のトナー群は、色再現域の少なくとも一部が相重なるトナー群の組み合わせであればよく、各トナー群の色再現域は特に限定されない。例えば、図１０では、各々のトナー群でのみ再現可能な領域を有する組み合わせとしたが、一方のトナー群の色再現域が他方のトナー群の色再現域を包含する組み合わせとしてもよい。また、本実施例では、Ｌａｂで管理される色空間を用いているが、ＣＩＥ  ＸＹＺなど、装置に依存しないデバイスインディペンデントカラー（Device Independent Color）で管理される任意の色空間を用いることができる。
【００５０】
以下、上記構成の印刷システムを用いて印刷を行う手順について説明する。
【００５１】
まず、本実施例のコンピュータ端末１０におけるユーザの操作について、図１５のフローチャート図、図１１及び図１２の画面例を参照して説明する。
【００５２】
＜ユーザの操作＞
コンピュータ端末１０の制御部１１は、アプリケーションを動作させ、ユーザは、アプリケーションを使用して所望の色が指定された文書データを作成する（Ｓ１０１）。
【００５３】
次に、アプリケーションのファイルメニューなどにより印刷を指示すると（Ｓ１０２）、制御部１１は、プリンタドライバを動作させ、表示部１２に図１１に示すようなプリンタドライバ画面４０を表示させる。このプリンタドライバ画面４０には、プリンタや印刷範囲、印刷部数、印刷対象や印刷指定、拡大／縮小などを設定する欄が設けられている、ユーザは操作部１３を操作して各項目の設定を行う。そして、プリンタ指定欄のプロパティボタンを押下すると、制御部１１は、表示部１２に図１２に示すようなプロパティ画面４１を表示させる。
【００５４】
このプロパティ画面４１には、Ｖｉｖｉｄトナーの使用条件を設定する欄が設けられており、必要に応じて、ユーザは操作部１３を操作してＶｉｖｉｄレベルの設定を行う（Ｓ１０３）。例えば、Ｖｉｖｉｄを強調したい場合は、Ｖｉｖｉｄレベルをプラス方向に設定すれば、より多くの画像領域（ビット）がＶｉｖｉｄトナーで印刷される。また、Ｖｉｖｉｄを抑えてコストも下げたい場合は、Ｖｉｖｉｄレベルをマイナス方向に設定すれば、Ｖｉｖｉｄトナーで印刷する画像領域（ビット）が少なくなる。また、コストを重視する場合は、「Ｖｉｖｉｄを使用しない」を選択すれば、Ｖｉｖｉｄトナーを使用せずに通常トナーのみで印刷することもできる。
【００５５】
また、プロパティ画面４１には、色再現域外の色に対する処理を規定する欄が設けられており、ユーザは操作部１３を操作して再現範囲外色域処理を選択する（Ｓ１０４）。例えば、通常トナーでもＶｉｖｉｄトナーでも再現できない色域が含まれる場合に、その色域に対してＶｉｖｉｄトナーを用いるか（Ｖｉｖｉｄ出力）、通常トナーを用いるか（通常出力）を設定する。
【００５６】
また、プロパティ画面４１には、印刷に関する詳細項目を設定する欄が設けられており、ユーザは操作部１３を操作して、例えば、原稿サイズ、出力サイズ、用紙の種類、印刷方法（片面／両面、小冊子等）、仕上げ（ステープル、パンチ）などの選択を行う（Ｓ１０５）。
【００５７】
そして、ユーザはＶｉｖｉｄレベルの設定、再現範囲外色域処理の選択、詳細項目の設定を行った後、プロパティ画面４１のＯＫボタンを押す（Ｓ１０６）。
【００５８】
次に、本実施例のコンピュータ端末１０におけるプリンタドライバの処理について、図１６のフローチャート図を参照して説明する。
【００５９】
＜プリンタドライバの処理＞
まず、プリンタドライバは、プロパティ画面４１で設定された各種パラメータを解釈し、これらを印刷ジョブに記述可能な設定情報に変換する（Ｓ２０１）。
【００６０】
次に、プリンタドライバは、プリンタドライバ画面４０でＯＫボタンが押されたかを監視する（Ｓ２０２）。
【００６１】
そして、ＯＫボタンが押されたら、プリンタドライバは、変換された各種設定情報とアプリケーションで作成された文書データとを、ＰＤＬの印刷ジョブに変換し、印刷ジョブを画像形成装置２０に送信する（Ｓ２０３）。このとき、画像形成装置２０に送る印刷ジョブの中には、色域情報が含まれる。
【００６２】
次に、本実施例の画像形成装置２０の動作について、図１７乃至図１９のフローチャート図を参照して説明する。なお、画像形成装置２０のメモリ２１ｂ又はＨＤＤ２１ｃには、所定の色空間における第１のトナー群（ここでは通常トナー）及び第２のトナー群（ここではＶｉｖｉｄトナー）の色再現域を規定するデータ及びＩＣＣプロファイル（各デバイスの色に関する特性が記述されたデバイスプロファイル）が予め記憶されているものとする。
【００６３】
画像形成装置２０の制御部２１は、プリンタドライバより送信される印刷ジョブを受信し（Ｓ３０１）、受信が完了したら（Ｓ３０２のＹｅｓ）、印刷ジョブの各ページのデータをラスタライズし、印刷部２７で印刷可能なデータ形式、例えばビットマップ形式の画像データに変換する（Ｓ３０３）。そして、変換した画像データをメモリ２１ｂやＨＤＤ２１ｃに格納する（Ｓ３０４）。
【００６４】
次に、制御部（印刷制御プログラム）は、ＩＣＣプロファイルを用いて、格納した画像データをＢｉｔ単位でＬａｂデータに変換（言い換えると画像データに基づく画像の各画素の色情報をＬａｂ値に変換）する（Ｓ３０５）。具体的には、図１８に示すように、ＲＧＢやＣＭＹＫなどの画像データを入力し（Ｓ３０５ａ）、ＲＧＢやＣＭＹＫなどの装置に依存するデバイスディペンデントカラー（Device Dependent Color）を、ＩＣＣプロファイルを使用してＬａｂなどのデバイスインディペンデントカラーに色変換を行い（Ｓ３０５ｂ）、Ｌａｂデータを出力する（Ｓ３０５ｃ）。
【００６５】
次に、制御部（印刷制御プログラム）は、ＩＣＣプロファイルを用いて、同じ画像データをＢｉｔ単位で、それぞれのトナー群を用いた場合の印刷データに変換する（Ｓ３０６）。具体的には、図１９に示すように、ＲＧＢやＣＭＹＫなどの画像データを入力し（Ｓ３０６ａ）、所定の画像処理を行った後（Ｓ３０６ｂ）、ＩＣＣプロファイルを使用して色変換処理を行い（Ｓ３０６ｃ）、Ｃ'Ｍ'Ｙ'Ｋ'などの印刷データを出力する（Ｓ３０６ｄ）。
【００６６】
次に、制御部（印刷制御プログラム）は、メモリ２１ｂ又はＨＤＤ２１ｃから通常トナー及びＶｉｖｉｄトナーの色再現域を規定するデータを読み出し、Ｓ３０５で変換したＬａｂデータの値（Ｌａｂ値）と、通常トナー及びＶｉｖｉｄトナーの色再現域とを比較する（Ｓ３０７）。
【００６７】
そして、制御部（印刷制御プログラム）は、Ｌａｂ値が通常トナーの色再現域内であるかを判断し（Ｓ３０８）、通常トナーの色再現域内（図１０における粗いドットのハッチング領域及び斜線のハッチング領域）であれば、画像データのそのＢｉｔを、通常トナーを使用する領域に分類する（Ｓ３０９）。
【００６８】
次に、制御部（印刷制御プログラム）は、Ｌａｂ値がＶｉｖｉｄトナーの色再現域内であるかを判断し（Ｓ３１０）、通常トナーの色再現域外、かつ、Ｖｉｖｉｄトナーの色再現域内（図１０における細かいドットのハッチング領域）であれば、画像データのそのＢｉｔを、Ｖｉｖｉｄトナーを使用する領域に分類する（Ｓ３１１）。
【００６９】
次に、制御部（印刷制御プログラム）は、図１２のプロパティ画面４１における再現範囲外色域処理の設定を印刷ジョブから読み出し、通常出力に設定されていれば（Ｓ３１２のＹｅｓ）、画像データのそのＢｉｔを、通常トナーを使用する領域に分類し（Ｓ３１３）、Ｖｉｖｉｄ出力に設定されていれば（Ｓ３１２のＮｏ）、画像データのそのＢｉｔを、Ｖｉｖｉｄトナーを使用する領域に分類する（Ｓ３１４）。
【００７０】
次に、制御部（印刷制御プログラム）は、画像データの全Ｂｉｔに対する処理が終了したかを判断し（Ｓ３１５）、処理が終了していなければ、ステップＳ３０５に戻って同様の処理を繰り返す。通常トナーを使用する領域とＶｉｖｉｄトナーを使用する領域とに分類された各ビットデータは、それぞれ通常トナーのＣＭＹＫ値、またはＶｉｖｉｄトナーのＣＭＹ値を持ち、通常トナーＣＭＹＫのトナー量と、ＶｉｖｉｄトナーＣＭＹのトナー量が全Ｂｉｔに設定される。
【００７１】
次に、制御部（印刷制御プログラム）は、印刷ジョブで規定される各種パラメータを分析し、その設定値に従い、各色ドラムの印刷データとして印刷部２７に送出する（ステップＳ３１６）。
【００７２】
その後、印刷部２７で印刷処理を実行する（ステップＳ３１７）。その際、図５乃至図９の構成の印刷部２７では、制御部（印刷制御プログラム）は、一方のトナー群のみを使用する場合は、他方のトナー群に対応する作像部（図９の場合は現像器及び書込ユニット）の動作を停止させる制御を行うことが好ましい。更に、図６の構成の印刷部２７では、制御部（印刷制御プログラム）は、通常トナーを使用する場合は図７のようにＶｉｖｉｄトナー作像ユニットを待避させ、Ｖｉｖｉｄトナーを使用する場合は図８のように通常トナー作像ユニットを待避させる制御を行うことが好ましい。
【００７３】
なお、上記フローは、図１２のプロパティ画面４１のＶｉｖｉｄ設定欄でＶｉｖｉｄレベル０に設定された場合を想定して、Ｌａｂ値が通常トナーの色再現域内であれば、Ｖｉｖｉｄトナーの色再現域内であるか否かに関わらず通常トナーを使用する領域に分類し、Ｌａｂ値が通常トナーの色再現域外であり、かつ、Ｖｉｖｉｄトナーの色再現域内であれば、Ｖｉｖｉｄトナーを使用する領域に分類したが、Ｖｉｖｉｄレベルがプラス又はマイナスの場合は判断の基準が変わることとなる。
【００７４】
例えば、Ｖｉｖｉｄレベル＋１＝１０％に予め設定されている場合は、Ｌａｂ値を重み付け（ここでは１０％加算）した値が判断の基準となる。つまり、標準状態に比べ１０％増しの色域までＶｉｖｉｄトナーを使用する領域と判断される。もちろん、この１０％といった値はいくつに設定しても良いし、％ではなく単純に数値を増減するだけでも良い。
【００７５】
また、通常トナーの色再現域とＶｉｖｉｄトナーの色再現域の境界については、基本的には各トナーの色再現域と完全に一致させるが、通常トナーの持つ色再現域側またはＶｉｖｉｄトナーの持つ色再現域側に振ることが可能である。こうすることにより、低コスト化や、Ｖｉｖｉｄトナーを強調した画像など、ユーザの好みを反映した画像を再現することができる。その際、それぞれの振り幅は適否設定可能であり、かつＶｉｖｉｄを使わないモードも設定可能である。
【００７６】
また、上記フローでは、Ｂｉｔ単位で通常トナー領域又はＶｉｖｉｄトナー領域に分類したが、通常トナーで再現できない領域はある程度の大きさがあると考えられることから、複数Ｂｉｔなどの所定の単位（言い換えると複数画素などの所定の領域単位で）で通常トナー領域又はＶｉｖｉｄトナー領域に分類してもよい。その場合は、所定の単位でＬａｂ値の平均値を求めるか、若しくは、所定の単位のＲＧＢ値の平均値をＬａｂ値に変換すればよい。
【００７７】
以上、画像データに基づいてトナー群を選択する方法について述べたが、前述したように、画像データから求めたＬａｂ値と、通常トナー及びＶｉｖｉｄトナーの色再現域との比較結果に基づいてＶｉｖｉｄトナーを選択した場合であっても、用紙の種類や印刷条件によってはＶｉｖｉｄトナーの特性を生かすことができない場合がある。
【００７８】
例えば、Ｖｉｖｉｄトナーの特性を生かすには、白色度が高く、表面が平滑な用紙を用いることが望ましい。最も適しているのは、一般的にコート紙または塗工紙と呼ばれているもので、上質紙の表面に顔料などでコートを施したものである。この用紙は白色度が高く表面が滑らかで高い反射率を有することから、高彩度のＶｉｖｉｄトナーの特徴を引き出すことができる。逆に、白色度が低く表面の荒れた用紙、例えば再生紙や色紙等ではＶｉｖｉｄトナーの特性を生かすことができず、Ｖｉｖｉｄトナーを使っても期待した印刷結果は得られない。
【００７９】
また、薄い用紙の場合、１枚物の出力であればＶｉｖｉトナーの特性を生かすことは可能であるが、複数枚の出力の場合は、次ページに形成した画像が透けて見えてしまうため、Ｖｉｖｉｄトナーの特性を生かすことはできない。また、両面印刷に設定されている場合、裏面が透けて見える程度の厚さしかない用紙で両面印刷した場合には、裏面印刷の影響を受けて用紙の白色度や均一性が低くなり、Ｖｉｖｉｄトナーの特性を生かすことはできない。更に、ウォータマーク印刷等の特殊印刷の場合は薄く印刷する必要があるため、Ｖｉｖｉｄトナーの特性を生かすことはできない。一方、両面印刷でも裏が透けないような厚い紙で白色度が高い用紙であれば、両面印刷しても裏面が透けることなくＶｉｖｉｄトナーの特徴を生かすことが可能である。
【００８０】
そこで、制御部（印刷制御プログラム）は、印刷ジョブから用紙の種類及び印刷条件を特定し、例えば、図２３に示すような、用紙の種類及び印刷条件とそれらに適したトナーとの対応関係を記述したテーブルを予めＨＤＤ２１ｃ等に記憶しておき、このテーブルを参照して、当該用紙の種類及び印刷条件でＶｉｖｉｄトナーの特性を生かすことができるかを判断する。
【００８１】
例えば、指定された用紙が塗工紙や上質紙、白色度が高い厚紙等であればそのままＶｉｖｉｄトナーを使用して印刷を行うが、再生紙や色紙などが指定されていた場合には、Ｖｉｖｉｄトナーを使用せず、通常トナーを使用して印刷を行う。また、選択された用紙が再生紙や色紙などのＶｉｖｉｄトナー印刷禁止用紙の場合や、設定された印刷条件が両面印刷やウォータマーク印刷などのＶｉｖｉｄトナー印刷禁止条件の場合には、印刷を一時停止し、表示部２４にＶｉｖｉｄトナー使用不可の用紙や印刷条件が設定されている旨を表示し、ユーザに判断を求める等の制御を行う。
【００８２】
なお、ユーザに判断を求める場合、選択された用紙や印刷条件のままＶｉｖｉｄトナーを用いて強制印刷しても良いし、通常トナーでの印刷を指定しても良い。さらには、Ｖｉｖｉｄトナーに適した用紙や印刷条件に切り替えてＶｉｖｉｄトナーで印刷することも可能である。
【００８３】
以下、上記制御について、図面を参照して具体的に説明する。なお、以下の制御は、図１７のフローチャート図におけるステップＳ３１６及びＳ３１７において実行される制御である。
【００８４】
まず、用紙や印刷条件に基づいて自動的にトナーを選択する場合の処理について、図２０のフローチャート図及び図２３のテーブルを参照して説明する。
【００８５】
制御部（印刷制御プログラム）は、Ｌａｂ値と各トナーの色再現域との比較結果を分析し（Ｓ４０１）、印刷対象となる画像にＶｉｖｉｄ色が含まれているかを判断する（Ｓ４０２）。Ｖｉｖｉｄ色が含まれていなければ、通常トナーのみを使用して印刷を行う（Ｓ４０３）。
【００８６】
一方、Ｖｉｖｉｄ色が含まれている場合は、制御部（印刷制御プログラム）は、印刷ジョブを解析して設定された用紙や印刷条件を確認し（Ｓ４０４）、用紙や印刷条件がＶｉｖｉｄトナーに適しているかを判断する（Ｓ４０５）。
【００８７】
具体的には、印刷ジョブで指定された用紙の種類及び印刷条件（片面／両面の種別や１枚構成／複数枚構成、特殊印刷か否かなど）を特定し、図２３のテーブルを参照して、用紙の種類及び印刷条件に対応付けられたトナーを判別する。
【００８８】
なお、ここでは、用紙の種類に基づいてＶｉｖｉｄトナーに適した用紙であるかを判断したが、印刷ジョブで指定された用紙を格納する用紙トレイに予め設けた手段で用紙の特性を測定し、測定した結果に基づいてＶｉｖｉｄトナーに適した用紙であるかを判断してもよい。例えば、用紙表面の反射率が予め定めた閾値以上の場合や、反射光の分光特性から求めた白色度が予め定めた閾値以上の場合、用紙の積載量と残枚数とから算出される用紙の厚みが予め定めた閾値以上の場合は、Ｖｉｖｉｄトナーに適した用紙であると判断することができる。その際、片面印刷が指定されている場合や印刷枚数が１枚の場合は上記閾値を下げ、両面印刷が指定されている場合や印刷枚数が複数枚の場合は上記閾値を上げるなどの調整を行うことも可能である。
【００８９】
そして、制御部（印刷制御プログラム）は、印刷ジョブで指定された用紙や印刷条件がＶｉｖｉｄトナーに適していると判断した場合は、そのままＶｉｖｉｄトナーも使用して（印刷対象となる画像が全てＶｉｖｉｄ色の場合はＶｉｖｉｄトナーのみを使用して）印刷を行い（Ｓ４０６）、Ｖｉｖｉｄトナーに適していないと判断した場合は、通常トナーのみを使用して印刷を行う（Ｓ４０７）。
【００９０】
次に、Ｖｉｖｉｄトナーに適していない用紙が指定されている場合の処理について、図２１のフローチャート図及び図１３の画面構成例を参照して説明する。
【００９１】
制御部（印刷制御プログラム）は、Ｌａｂ値と各トナーの色再現域との比較結果を分析し（Ｓ５０１）、印刷対象となる画像にＶｉｖｉｄ色が含まれているかを判断する（Ｓ５０２）。Ｖｉｖｉｄ色が含まれていなければ、通常トナーのみを使用して印刷を行う（Ｓ５０３）。
【００９２】
一方、Ｖｉｖｉｄ色が含まれている場合は、制御部（印刷制御プログラム）は、印刷ジョブを解析して用紙を確認し（Ｓ５０４）、上記と同様に、指定された用紙がＶｉｖｉｄトナーに適した用紙であるかを判断する（Ｓ５０５）。
【００９３】
そして、制御部（印刷制御プログラム）は、指定された用紙がＶｉｖｉｄトナーに適した用紙であると判断した場合は、そのままＶｉｖｉｄトナーも使用して（印刷対象となる画像が全てＶｉｖｉｄ色の場合はＶｉｖｉｄトナーのみを使用して）印刷を行い（Ｓ５０６）、Ｖｉｖｉｄトナーに適さない用紙であると判断した場合は、印刷処理を一旦停止し、Ｖｉｖｉｄトナーに適さない用紙（Ｖｉｖｉｄ印刷禁止用紙）が指定されていることを示す用紙警告画面（図１３参照）を表示部２４に表示し（Ｓ５０７）、操作者の指示を待つ。
【００９４】
その後、制御部（印刷制御プログラム）は、上記用紙警告画面のノーマルボタン（通常トナー印刷を指示するボタン）の押下を監視し（Ｓ５０８）、通常トナー印刷が選択された上で、スタートボタンが押下された場合には（Ｓ５１４のＹｅｓ）、通常トナーのみを使用して印刷を行う（Ｓ５１６）。スタートボタンが押下される前にノーマルボタンの選択が解除された場合には（Ｓ５１５のＹｅｓ）、Ｓ５０８に戻ってノーマルボタンの監視を行う。
【００９５】
一方、ノーマルボタンが押下されずにスタートボタンが押下された場合には（Ｓ５０９のＹｅｓ）、制御部（印刷制御プログラム）は、現在指定されている用紙のまま（Ｖｉｖｉｄに適さない用紙のまま）、Ｖｉｖｉｄトナーも使用して印刷を行う（Ｓ５１０）。
【００９６】
スタートボタンが押下されずにストップボタンが押下された場合には（Ｓ５１１のＹｅｓ）、制御部（印刷制御プログラム）は、印刷ジョブを破棄して（Ｓ５１２）、処理を終了する。
【００９７】
また、図１３の用紙警告画面５０で、ユーザによって用紙が変更された場合（Ｓ５１３のＹｅｓ）は、Ｓ５０４の用紙の設定の確認に戻り、その後、再度上記処理を繰り返し実行する。
【００９８】
次に、Ｖｉｖｉｄトナーに適していない印刷条件が指定されている場合の処理について、図２２のフローチャート図及び図１４の画面構成例を参照して説明する。
【００９９】
制御部（印刷制御プログラム）は、Ｌａｂ値と各トナーの色再現域との比較結果を分析し（Ｓ６０１）、印刷対象となる画像にＶｉｖｉｄ色が含まれているかを判断する（Ｓ６０２）。Ｖｉｖｉｄ色が含まれていなければ、通常トナーのみを使用して印刷を行う（Ｓ６０３）。
【０１００】
一方、Ｖｉｖｉｄ色が含まれている場合は、制御部（印刷制御プログラム）は、印刷ジョブを解析して印刷条件を確認し（Ｓ６０４）、上記と同様に、指定された印刷条件がＶｉｖｉｄトナーに適した条件であるかを判断する（Ｓ６０５）。
【０１０１】
そして、制御部（印刷制御プログラム）は、指定された印刷条件がＶｉｖｉｄトナーに適した条件であると判断した場合は、そのままＶｉｖｉｄトナーも使用して（印刷対象となる画像が全てＶｉｖｉｄ色の場合はＶｉｖｉｄトナーのみを使用して）印刷を行い（Ｓ６０６）、Ｖｉｖｉｄトナーに適さない条件であると判断した場合は、印刷処理を一旦停止し、Ｖｉｖｉｄトナーに適さない印刷条件が指定されていること（印刷条件にＶｉｖｉｄ印刷禁止設定が含まれていること）を示す印刷条件警告画面（図１４参照）を表示部２４に表示し（Ｓ６０７）、操作者の指示を待つ。
【０１０２】
その後、制御部（印刷制御プログラム）は、上記印刷条件警告画面のノーマルボタンの押下を監視し（Ｓ６０８）、通常トナー印刷が選択された上で、スタートボタンが押下された場合には（Ｓ６１４のＹｅｓ）、通常トナーのみを使用して印刷を行う（Ｓ６１６）。スタートボタンが押下される前にノーマルボタンの選択が解除された場合には（Ｓ６１５のＹｅｓ）、Ｓ６０８に戻ってノーマルボタンの監視を行う。
【０１０３】
一方、ノーマルボタンが押下されずにスタートボタンが押下された場合には（Ｓ６０９のＹｅｓ）、制御部（印刷制御プログラム）は、Ｖｉｖｉｄ印刷禁止設定を無視して（Ｖｉｖｉｄに適さない印刷条件のまま）、Ｖｉｖｉｄトナーも使用して印刷を行う（Ｓ６１０）。
【０１０４】
スタートボタンが押下されずにストップボタンが押下された場合には（Ｓ６１１のＹｅｓ）、制御部（印刷制御プログラム）は、印刷ジョブを破棄して（Ｓ６１２）、処理を終了する。
【０１０５】
また、図１４の印刷条件警告画面５１で、ユーザによって印刷条件が変更された場合（Ｓ６１３のＹｅｓ）は、Ｓ６０４の印刷条件の設定の確認に戻り、その後、再度上記処理を繰り返し実行する。
【０１０６】
以上説明したように、画像形成装置２０の印刷部２７に、色再現域の異なる第１のトナー群（通常トナー）と第２のトナー群（Ｖｉｖｉｄトナー）を搭載し、印刷対象とする画像データを所定の単位でＬａｂ値に変換し、そのＬａｂ値が各トナー群の色再現域のどの領域に属するかを判別することによって、画像に適したトナー群を判断し、更に、テーブルを参照して、印刷ジョブで指定された用紙や印刷条件に適したトナー群を判断し、これらの判断結果に基づいて自動的に又はユーザの操作により使用するトナー群を決定して印刷が実行されるため、印刷コストを抑え、Ｖｉｖｉｄトナーを効果的に使用することができる。
【０１０７】
なお、上記実施例では、通常トナーとＶｉｖｉｄトナーの２種類のトナー群を利用する場合について説明したが、本発明は上記実施例に限定されるものではなく、色再現域の異なる３種以上のトナー群を利用することもできる。
【産業上の利用可能性】
【０１０８】
本発明は、色再現域の異なる複数種類のトナー群を備える画像形成装置及び該画像形成装置を用いて印刷を制御する方法並びにプログラムに利用可能である。
【符号の説明】
【０１０９】
１０  コンピュータ端末
１１  制御部
１１ａ  ＣＰＵ
１１ｂ  メモリ
１１ｃ  ＨＤＤ
１１ｄ  通信Ｉ／Ｆ部
１２  表示部
１３  操作部
２０  画像形成装置
２１  制御部
２１ａ  ＣＰＵ
２１ｂ  メモリ
２１ｃ  ＨＤＤ
２１ｄ  通信Ｉ／Ｆ部
２２  ＡＤＦ
２３  画像読取部
２４  表示部
２５  操作部
２６  給紙部
２７  印刷部
２８  後処理部
３０  通信ネットワーク
４０  プリンタドライバ画面
４１  プロパティ画面
５０  用紙警告画面
５１  印刷条件警告画面
【図１】
2010214854.tif 000003
【図２】
2010214854.tif 000004
【図３】
2010214854.tif 000005
【図４】
2010214854.tif 000006
【図５】
2010214854.tif 000007
【図６】
2010214854.tif 000008
【図７】
2010214854.tif 000009
【図８】
2010214854.tif 000010
【図９】
2010214854.tif 000011
【図１０】
2010214854.tif 000012
【図１１】
2010214854.tif 000013
【図１２】
2010214854.tif 000014
【図１３】
2010214854.tif 000015
【図１４】
2010214854.tif 000016
【図１５】
2010214854.tif 000017
【図１６】
2010214854.tif 000018
【図１７】
2010214854.tif 000019
【図１８】
2010214854.tif 000020
【図１９】
2010214854.tif 000021
【図２０】
2010214854.tif 000022
【図２１】
2010214854.tif 000023
【図２２】
2010214854.tif 000024
【図２３】
2010214854.tif 000025